【手続補正書】
【提出日】平成27年1月7日(2015.1.7)
【手続補正１】
【補正対象書類名】明細書
【補正対象項目名】００１０
【補正方法】変更
【補正の内容】
【００１０】
本発明は、結着樹脂及び着色剤を含有するトナー粒子と
無機微粒子と
を有するトナーであって、
該トナーは、
（ｉ）平均円形度が０．９３０以上０．９８０以下であり、
（ｉｉ）円形度が０．９９０以上の粒子の質量割合は５％以上１５％以下であり、
（ｉｉｉ）円形度が０．９８０以下の粒子の表面性状のうねりモチーフ平均値をＡＷ（μｍ）とし、円形度が０．９９０以上のトナーの体積平均粒径をｄｓ（μｍ）としたとき、以下の関係
１．３＜ｄｓ＜ＡＷ
を満たし、
該無機微粒子の個数平均粒径が、５０ｎｍ以上１５０ｎｍ以下である
ことを特徴とするトナーに関する。
【手続補正２】
【補正対象書類名】明細書
【補正対象項目名】００１８
【補正方法】変更
【補正の内容】
【００１８】
最大ピーク分子量が５×１０3以上５×１０4以下の範囲にあり、ＴＨＦ不溶分が５質量％以上３０質量％以下であることが望ましい。最大ピーク分子量が５０００に満たない場合は、耐久性が損なわれ、逆に最大ピーク分子量が５００００を超えた場合は、低温定着性が劣ってしまい好ましくない。
【手続補正３】
【補正対象書類名】明細書
【補正対象項目名】００２３
【補正方法】変更
【補正の内容】
【００２３】
本発明のトナーの着色剤としては、カーボンブラック，クロムイエロー，ハンザイエロー，ベンジジンイエロー，スレンイエロー，キノリンイエロー，パーマネントオレンジＧＴＲ，ピラゾロンオレンジ，バルカンオレンジ，ピラゾロンレッド，ウォッチャングレッド，パーマネントレッド，デュポンオイルレッド，リソールレッド，レーキレッドＣ，ブリリアントカーミン３Ｂ，同６Ｂ，ローダミンＢレーキ，ローズベンガル，アニリンブルー，ウルトラマリンブルー，カルコオイルブルー，メチレンブルークロライド，フタロシアニンブルー，フタロシアニングリーン，マラカイトグリーンオクサレート等の各種顔料、アクリジン系，アジン系，フタロシアニン系，アニリンブラック系，アゾ系，アゾメチン系，ベンゾキノン系，アントラキノン系，キサンテン系，ジオキサジン系，チアジン系，チアゾール系，インジゴ系，チオインジゴ系，ポリメチン系，ジフェニルメタン系，トリフェニルメタン系染料等の各種染料が挙げられる。これらの顔料や染料はその１種または２種以上を用いることができ、顔料と染料を併用してもよい。染料としてはＣ．Ｉ．ソルベントレッド１、同４９、同５２、同５８、同６３、同１１１、同１２２、Ｃ．Ｉ．ソルベントイエロー１９、同４４、同７７、同７９、同８１、同８２、同９３、同９８、同１０３、同１０４、同１１２、同１６２、Ｃ．Ｉ．ソルベントブルー２５、同３６、同６０、同７０、同９３、同９５等を用いることが出来、またこれらの混合物も用いることが出来る。顔料としてはＣ．Ｉ．ピグメントレッド５、同４８：１、同５３：１、同５７：１、同１２２、同１３９、同１４４、同１４９、同１６６、同１７７、同１７８、同２２２、同２３８、Ｃ．Ｉ．ピグメントオレンジ３１、同４３、Ｃ．Ｉ．ピグメントイエロー１４、同１７、同７４、同９３、同９４、同１３８、Ｃ．Ｉ．ピグメントグリーン７、Ｃ．Ｉ．ピグメントブルー１５：３、同６０、カーボンブラック等を用いることが出来、これらの混合物も用いることが出来る。数平均一次粒子径は種類により多様であるが、概ね１０ｎｍ以上３００ｎｍ以下程度が好ましい。
【手続補正４】
【補正対象書類名】明細書
【補正対象項目名】００２５
【補正方法】変更
【補正の内容】
【００２５】
このとき各トナーの粒子群の平均円形度を指標とする。この平均円形度とは、粒子の形状を定量的に表現する簡便な方法として用いたものであり、本発明ではシスメックス社製フロー式粒子像分析装置ＦＰＩＡ−３０００を用いて温度２３℃，湿度６０％ＲＨの環境下で測定を行い、円相当径０．６０μｍ以上４００μｍ以下の範囲内の粒子を測定し、そこで測定された粒子の円形度を下式
円形度ａ＝Ｌ0／Ｌ
〔式中、Ｌ0は粒子像と同じ投影面積を持つ円の周囲長を示し、Ｌは５１２×５１２の画像処理解像度（０．３μｍ×０．３μｍの画素）で画像処理した時の粒子投影像の周囲長を示す。〕
により求め、測定した粒子の円形度の総和を全粒子数で除した値を平均円形度と定義する。
【手続補正５】
【補正対象書類名】明細書
【補正対象項目名】００２７
【補正方法】変更
【補正の内容】
【００２７】
本発明におけるトナーの平均円形度は０．９３０以上０．９８０以下である必要がある。平均円形度が０．９３０より小さいと濃度ムラによる画質低下が生じる。一方、平均円形度が０．９８０を超えると、転写できずに感光体等に残余したトナーのブレードクリーニングが困難になる。
【手続補正６】
【補正対象書類名】明細書
【補正対象項目名】００２９
【補正方法】変更
【補正の内容】
【００２９】
トナーの形状測定には、前記フロー式粒子像測定装置を用い、測定時の粒子濃度が３０００個／μｌ以上１万個／μｌ以下となる様に該分散液濃度を再調整し、粒子を１０００個以上計測する。計測後、このデータを用いて、トナーの平均円形度を求める。
【手続補正７】
【補正対象書類名】明細書
【補正対象項目名】００３０
【補正方法】変更
【補正の内容】
【００３０】
凝集工程では、凝集剤の存在下に分散液を通常４０℃以上６０℃以下で３０分以上３時間以下混合する。この際、処理温度が高く、処理時間が長いほど凝集体の径が大きくなる。凝集剤としては、両性界面活性剤単独またはアニオン界面活性剤とカチオン界面活性剤が併用される。使用される凝集剤としては特に限定されるものではないが、金属塩から選択されるものが好適に使用される。
【手続補正８】
【補正対象書類名】明細書
【補正対象項目名】００３４
【補正方法】変更
【補正の内容】
【００３４】
本発明に用いられる凝集剤の添加量は、臨界凝集濃度以上であればよいが、好ましくは臨界凝集濃度の１．２倍以上、さらに好ましくは１．５倍以上添加することがよい。その後の融合合一プロセスでは、凝集体を含有する混合液をガラス転移温度以下、かつ３０℃以上８０℃以下で３０分間以上５時間以下加熱する。この際、処理温度が高いほど、処理時間が長いほど凝集体の形状がより球形状となる。逆に温度が低いか時間を短くすると平均円形度の低いトナー粒子が得られる。
【手続補正９】
【補正対象書類名】明細書
【補正対象項目名】００３８
【補正方法】変更
【補正の内容】
【００３８】
洗浄・脱溶剤の工程前後いずれかにおいて、トナー粒子の分散液を一定温度、一定時間放置することで、トナー粒子の熟成を成すことができる。熟成工程の温度は、トナー粒子中の樹脂のガラス転移温度以上かつ２５℃以上１００℃以下が好ましく、時間は１０分間以上１２時間以下であることが好ましい。熟成工程以前および工程中では乳化剤を添加するか、トナー粒子の分散液のｐＨを挙げることでトナー中の粗大粒子の発生を抑制することができる。
【手続補正１０】
【補正対象書類名】明細書
【補正対象項目名】００４７
【補正方法】変更
【補正の内容】
【００４７】
本発明のトナーにおける、上記無機微粉体の添加量は、トナー粒子１００質量部に対して０．３質量部以上５．０質量部以下、より好ましくは０．５質量部以上２．０質量部以下である。
【手続補正１１】
【補正対象書類名】明細書
【補正対象項目名】００５４
【補正方法】変更
【補正の内容】
【００５４】
そのひとつは、添加したスペーサー粒子（以下、本発明で用いる個数平均粒径５０ｎｍ以上１５０ｎｍ以下に類する無機微粒子を、スペーサー粒子と呼ぶ）が現像剤搬送に伴うトナー同士の接触などによって移動し、凹みの部分に留まってしまうことである。凹みの部分はトナーの接触部分にはなりえないために、そこにスペーサー粒子があっても何ら効果を発揮しない。スペーサーは接触部分となる凸部に存在しなければ効果を表さない。
【手続補正１２】
【補正対象書類名】明細書
【補正対象項目名】００６４
【補正方法】変更
【補正の内容】
【００６４】
球形粒子の存在割合は質量割合で５％以上１５％以下であることが好ましい。１５％超だと、球形トナー粒子の割合が増えるのでブレードクリーニングが困難になる傾向がある。２０％以下では、球形トナー粒子は存在しても非球形トナー粒子のせき止め効果が高くなるので、ブレードクリーニングが可能となる。５％未満では球形トナーの存在割合が少ないので、スペーサー粒子をトナー表面全体に均一に行き渡らせる効果が少ない。
【手続補正１３】
【補正対象書類名】特許請求の範囲
【補正対象項目名】全文
【補正方法】変更
【補正の内容】
【特許請求の範囲】
【請求項１】
結着樹脂及び着色剤を含有するトナー粒子と
無機微粒子と
を有するトナーであって、
該トナーは、
（ｉ）平均円形度が０．９３０以上０．９８０以下であり、
（ｉｉ）円形度が０．９９０以上の粒子の質量割合は５％以上１５％以下であり、
（ｉｉｉ）円形度が０．９８０以下の粒子の表面性状のうねりモチーフ平均値をＡＷ（μｍ）とし、円形度が０．９９０以上のトナーの体積平均粒径をｄｓ（μｍ）としたとき、以下の関係
１．３＜ｄｓ＜ＡＷ
を満たし、
該無機微粒子の個数平均粒径が、５０ｎｍ以上１５０ｎｍ以下である
ことを特徴とするトナー。
【請求項２】
前記トナーが、前記無機微粉体を前記トナー粒子１００質量部に対して０．３質量部以上５．０質量部以下含有する請求項１に記載のトナー。
【請求項３】
前記無機微粒子が、ゾルゲル法により得られた球状の疎水性シリカの粒子である請求項１又は２に記載のトナー。
【請求項４】
前記トナーが、樹脂粒子の凝集工程を含む製造方法で作製されたトナーである請求項１〜３のいずれか１項に記載のトナー。
【請求項５】
前記トナーが、乳化重合凝集法で作製されたトナーである請求項１〜４のいずれか１項に記載のトナー。